(57)【特許請求の範囲】
【請求項１】
温度に応じて降下電圧が変化する第１の電圧降下素子とこれに直列接続される第１の抵抗とを有して第１の温度特性を有する信号を生成する第１の信号生成回路と、
同じく温度に応じて降下電圧が変化する第２の電圧降下素子とこれに直列接続される第２の抵抗とを有して第２の温度特性を有する信号を生成する第２の信号生成回路と、
これら生成される第１及び第２の温度特性を有する信号に基づき所定の演算を実行して所望の温度特性を有する信号を生成する演算回路とを具え、
前記演算回路は、基準電圧を帰還増幅する帰還増幅回路であり、
前記第１の信号生成回路は、前記第１の電圧降下素子とこれに直列接続される第１の抵抗とが前記帰還増幅回路の帰還路に接続されて同帰還路を流れる電流を制御する帰還電流制御回路であり、
前記第２の信号生成回路は、前記第２の電圧降下素子とこれに直列接続される第２の抵抗とが前記帰還増幅回路の帰還路中に配設されて同帰還増幅回路の出力電圧を制御する出力電圧制御回路である
ことを特徴とする温度特性補償回路。
【請求項２】
前記第１及び第２の抵抗の少なくとも一方が可変抵抗からなる
請求項１記載の温度特性補償回路。
【請求項３】
前記可変抵抗がトリミング抵抗である
請求項２記載の温度特性補償回路。
【請求項４】
磁界の強さに対応した電気信号を出力する磁電変換素子に駆動信号を供給する駆動回路と、
この駆動信号の供給に基づき磁電変換素子から出力される電気信号を所要に増幅する増幅回路と、
この増幅される磁電変換素子の出力信号に所定のオフセット電圧を付与するオフセット回路とを具え、
前記オフセット回路は、温度に応じて降下電圧が変化する第１の電圧降下素子とこれに直列接続される第１の抵抗とを有して第１の温度特性を有する信号を生成する第１の信号生成回路と、同じく温度に応じて降下電圧が変化する第２の電圧降下素子とこれに直列接続される第２の抵抗とを有して第２の温度特性を有する信号を生成する第２の信号生成回路と、これら生成される第１及び第２の温度特性を有する信号に基づき所定の演算を実行して所望の温度特性を有する信号を生成する演算回路とを具える温度特性補償回路を有して、前記付与する所定のオフセット電圧を該生成される所望の温度特性を有する信号により補正するオフセット回路であり、
前記温度特性補償回路における前記演算回路は、基準電圧を帰還増幅する帰還増幅回路であり、前記第１の信号生成回路は、前記第１の電圧降下素子とこれに直列接続される第１の抵抗とが前記帰還増幅回路の帰還路に接続されて同帰還路を流れる電流を制御する帰還電流制御回路であり、前記第２の信号生成回路は、前記第２の電圧降下素子とこれに直列接続される第２の抵抗とが前記帰還増幅回路の帰還路中に配設されて同帰還増幅回路の出力電圧を制御する出力電圧制御回路である
ことを特徴とする磁電変換素子の駆動装置。
【請求項５】
磁界の強さに対応した電気信号を出力する磁電変換素子に駆動信号を供給する駆動回路と、
この駆動信号の供給に基づき磁電変換素子から出力される電気信号を所要に増幅する増幅回路と、
この増幅される磁電変換素子の出力信号に所定のオフセット電圧を付与するオフセット回路と、
温度に応じて降下電圧が変化する第１の電圧降下素子とこれに直列接続される第１の抵抗とを有して第１の温度特性を有する信号を生成する第１の信号生成回路と、同じく温度に応じて降下電圧が変化する第２の電圧降下素子とこれに直列接続される第２の抵抗とを有して第２の温度特性を有する信号を生成する第２の信号生成回路と、これら生成される第１及び第２の温度特性を有する信号に基づき所定の演算を実行して所望の温度特性を有する信号を生成する演算回路とを具える温度特性補償回路を有し、前記増幅された磁電変換素子の出力信号を該生成される所望の温度特性を有する信号により補正する出力補正回路とを具え、
前記温度特性補償回路における前記演算回路は、基準電圧を帰還増幅する帰還増幅回路であり、前記第１の信号生成回路は、前記第１の電圧降下素子とこれに直列接続される第１の抵抗とが前記帰還増幅回路の帰還路に接続されて同帰還路を流れる電流を制御する帰還電流制御回路であり、前記第２の信号生成回路は、前記第２の電圧降下素子とこれに直列接続される第２の抵抗とが前記帰還増幅回路の帰還路中に配設されて同帰還増幅回路の出力電圧を制御する出力電圧制御回路である
ことを特徴とする磁電変換素子の駆動装置。
【請求項６】
請求項４または５記載の磁電変換素子の駆動装置において、
前記駆動回路も、前記磁電変換素子の温度特性を補償する温度特性補償回路を具えて構成される
ことを特徴とする磁電変換素子の駆動装置。
【請求項７】
前記駆動回路の温度特性補償回路も、温度に応じて降下電圧が変化する第１の電圧降下素子とこれに直列接続される第１の抵抗とを有して第１の温度特性を有する信号を生成する第１の信号生成回路と、同じく温度に応じて降下電圧が変化する第２の電圧降下素子とこれに直列接続される第２の抵抗とを有して第２の温度特性を有する信号を生成する第２の信号生成回路と、これら生成される第１及び第２の温度特性を有する信号に基づき所定の演算を実行して所望の温度特性を有する信号を生成する演算回路とを具えて構成される
請求項６記載の磁電変換素子の駆動装置。
【請求項８】
請求項４〜７の何れかに記載の磁電変換素子の駆動装置において、
前記磁電変換素子は、被検出部材の操作角度に応じて磁束方向が変化する磁界中に置かれるものであり、
前記増幅回路は、この磁電変換素子から出力される前記被検出部材の角度情報を増幅出力するものである
ことを特徴とする磁電変換素子の駆動装置。
【請求項９】
請求項４〜８の何れかに記載の磁電変換素子の駆動装置において、
前記温度特性補償回路における前記第１及び第２の抵抗の少なくとも一方が可変抵抗からなる
ことを特徴とする磁電変換素子の駆動装置。
【請求項１０】
前記可変抵抗がトリミング抵抗である
請求項９記載の磁電変換素子の駆動装置。
【発明の詳細な説明】
【０００１】
【発明の属する技術分野】
この発明は、各種素子や回路の温度特性を電気的に補償する温度特性補償回路、及びホール素子等の磁電変換素子に生じる不平衡電圧を該温度特性補償回路を用いて補正する磁電変換素子の駆動装置に関する。
【０００２】
【従来の技術】
例えば車載用内燃機関のスロットル開度センサとして、ホール効果に基づき同スロットル開度を非接触にて検出するセンサが知られている。図１０に、該ホール効果を利用したスロットル開度センサの一例についてその概要を示す。
【０００３】
すなわち同スロットル開度センサにあっては、スロットルバルブ（図示せず）の回転軸に連動して回転するロータ１１に対しその回転軸と直交する方向に着磁された同心円筒状の永久磁石１２が設けられ、この永久磁石１２の中空部内に、ロータ１１の回転軸に沿った面に平行且つ回転軸を中心に対称に、永久磁石１２の磁界方向を検出するためのホール素子１０が配設される。
【０００４】
そして、スロットルバルブの回動に伴い永久磁石１２がホール素子１０の周りを同図１０に示される態様で回転することによりホール素子１０の感磁面に対する磁界方向が変化し、その変化した角度θに対応した電気信号すなわちホール電圧ＶＨが、
0003684691.tif 000002
といったかたちで、同ホール素子１０から出力されるようになる。
【０００５】
ここで、値ＶＡは、値「ＫＨ・Ｂ・Ｒｄ・Ｉ」に対応した定数であり、図１１に示されるように、ロータ１１が「−９０（＝θ）」度から「＋９０（＝θ）」度まで回転する間に、上記ホール電圧ＶＨは、「−ＶＡ」から「＋ＶＡ」へと正弦波上を連続的に変化する。なお、同（１）式において、ＫＨはホール素子１０の感度であり、Ｂは磁石１２の磁束密度であり、Ｒｄはホール素子１０の内部抵抗であり、Ｉはホール素子１０の駆動電流である。
【０００６】
同スロットル開度センサでは、ホール素子１０からこうした態様で出力されるホール電圧ＶＨを所要に処理して、上記スロットルバルブの開度に対応した電気信号を出力する。
【０００７】
【発明が解決しようとする課題】
ところで、上記ホール素子からは、原理的に上記（１）式の態様でホール電圧ＶＨが出力されるとはいえ、実際には、僅かながら、温度に依存した不平衡電圧（ドリフト）が生じる。
【０００８】
この不平衡電圧は通常、同（１）式の電圧に対する平行電圧として現れるものであり、図１１に実線にて示される特性が例えば２５℃でのホール電圧出力特性であるとすると、例えば８０℃でのホール電圧出力特性は、同図１１に破線にて示される態様の特性となる。すなわち、それら温度差（８０℃−２５℃）をΔｔとすると、実際のホール電圧ＶＨは、
ＶＨ ＝ ＶＡ・ｓｉｎθ＋ＶＨＯ・Δｔ            …（２）
といったかたちで出力されることとなる。なおここで、値ＶＨＯは、角度θが０度のときのホール電圧ＶＨである。
【０００９】
そして通常、こうしたホール電圧ＶＨは信号処理回路を通じて増幅されて出力されるため、上記不平衡電圧ＶＨＯ・Δｔも併せて増幅されることとなり、その温度に依存した出力誤差も無視できないものとなる。
【００１０】
すなわち、上記信号処理回路による出力電圧をＶｏｕｔ、同回路による増幅率をＧ、また同回路において所望の出力レンジを得るために付与されるオフセット電圧をＶｏｆｆｓｅｔとしたとき、例えば２５℃のときの出力Ｖｏｕｔ(25)が
Ｖｏｕｔ(25) ＝ ＶＨ×Ｇ＋Ｖｏｆｆｓｅｔ        …（３）
であり、図１２に実線にて示される特性になるとすると、例えば８０℃のときの同出力Ｖｏｕｔ(80)は、
0003684691.tif 000003
となり、図１２に破線にて示されるように、２５℃のときの出力特性とは大きく異なったものとなる。
【００１１】
なお従来、温度に依存するこうした出力変動を抑制すべく、
（ｉ）ホール素子の駆動回路側には感度調整部を設け、信号処理回路側には２つの抵抗による温度傾斜設定機能を有するオフセット調整部を設ける（例えば特開平６−７４９７５号公報参照）。
（ｉｉ）ホール素子の駆動回路側には定電流回路を設け、信号処理回路側にはその差動増幅段の一部の抵抗をアンバランスさせた温度補償手段を設ける（例えば特開昭５８−１９５０６号公報参照）。
（ｉｉｉ）ホール素子の駆動回路側には定電流回路を設け、信号処理回路側には直流オフセットの温度特性が正負の何れであっても対処可能なように２段のオフセット設定回路を設ける（例えば特開平３−１７００７３号公報参照）。
等々の提案もなされてはいる。
【００１２】
しかし、これらは何れも、上記温度特性の補償を抵抗のみによって行うものであることから、幅広い温度範囲には対応することができず、またその補償精度、補償能力も自ずと低いものとなっている。
【００１３】
この発明は、こうした実情に鑑みてなされたものであり、より幅広い温度範囲において且つ、より高い補償精度、補償能力を有して各種素子や回路の温度特性を補償することのできる温度特性補償回路を提供することを目的とする。
【００１４】
またこの発明は、上記ホール素子などの磁電変換素子を利用して磁界の強さに対応した電気信号を得るにあたり、その温度に依存する出力変動をより的確に抑制することのできる磁電変換素子の駆動装置を提供することを目的とする。
【００１５】
【課題を解決するための手段】
こうした目的を達成するため、この発明では、請求項１に記載のように、
（ａ）温度に応じて降下電圧が変化する第１の電圧降下素子とこれに直列接続される第１の抵抗とを有して第１の温度特性を有する信号を生成する第１の信号生成回路。
（ｂ）同じく温度に応じて降下電圧が変化する第２の電圧降下素子とこれに直列接続される第２の抵抗とを有して第２の温度特性を有する信号を生成する第２の信号生成回路。
（ｃ）これら生成される第１及び第２の温度特性を有する信号に基づき所定の演算を実行して所望の温度特性を有する信号を生成する演算回路。
をそれぞれ具えて温度特性補償回路を構成する。
【００１６】
ここで、上記第１及び第２の信号生成回路によれば、各々ダイオード等の電圧降下素子と抵抗との直列回路を通じて、それぞれ温度特性としては同一ながら、相当に広い範囲で上記第１或いは第２の温度特性を有する信号を生成することができるようになる。
【００１７】
このため、これら生成される第１及び第２の温度特性を有する信号に基づき、上記演算回路を通じて例えば帰還増幅演算や四則演算等の所定の演算を実行する温度特性補償回路としてのこのような構成によれば、如何なる温度条件であろうとも、正負任意の温度特性を有する信号を高精度に生成することができるようになる。すなわち同温度特性補償回路によれば、より幅広い温度範囲において且つより高い補償精度、補償能力を有して各種素子や回路の温度特性を補償することができるようになる。
特に請求項１記載の発明では、上記温度特性補償回路として、
（ｃ１）前記演算回路は、基準電圧を帰還増幅する帰還増幅回路である。
（ａ１）前記第１の信号生成回路は、前記第１の電圧降下素子とこれに直列接続される第１の抵抗とが前記帰還増幅回路の帰還路に接続されて同帰還路を流れる電流を制御する帰還電流制御回路である。
（ｂ１）前記第２の信号生成回路は、前記第２の電圧降下素子とこれに直列接続される第２の抵抗とが前記帰還増幅回路の帰還路中に配設されて同帰還増幅回路の出力電圧を制御する出力電圧制御回路である。
といった構成を採用している。
因みに、ダイオード等の電圧降下素子を有する上記第１及び第２の信号生成回路からは通常、負の温度特性を有する信号が生成されることとなる。
このため、上記出力電圧制御回路がその帰還路中に配設される帰還増幅回路にあっては、その出力として、上記基準電圧が該出力電圧制御回路による電圧制御を通じて所要レベルに安定化された信号が生成されるようになるが、該生成される信号も通常、負の温度特性を持つようになる。
しかし、同請求項１記載の発明の上記構成によるように、帰還電流制御回路をこの帰還増幅回路の帰還路に更に接続するようにすれば、それら帰還電流制御回路及び出力電圧制御回路による電流、電圧制御量を通じて、正負の極性も含めてこの帰還増幅回路の出力として生成される信号の温度特性を任意に変えることができるようになる。例えば、上記第１の抵抗と上記第２の抵抗とを

第１の抵抗の抵抗値 ＞ 第２の抵抗の抵抗値

なる関係に設定すれば、上記帰還増幅回路の出力に正の温度特性を持たせることができるようになる。
【００１８】
なお、温度特性補償回路としてのこうした構成において、更に請求項２記載の発明によるように、
・前記第１及び第２の抵抗の少なくとも一方が可変抵抗からなる。
といった構成によれば、上記所望の温度特性を有する信号の生成がより柔軟に行われることとなってその自由度が増すとともに、該所望の温度特性を実現する上での微調整等も容易となる。
【００１９】
また、請求項３記載の発明によるように、
・前記可変抵抗がトリミング抵抗である。
といった構成によれば、例えば同温度特性補償回路の主要な部分をモノシリックＩＣとして半導体チップ化する場合であっても、上記請求項２記載の発明に準じた温度特性の微調整が可能になる。
【００２６】
一方、この発明では、請求項４に記載のように、
（Ａ）磁界の強さに対応した電気信号を出力する磁電変換素子に駆動信号を供給する駆動回路。
（Ｂ）この駆動信号の供給に基づき磁電変換素子から出力される電気信号を所要に増幅する増幅回路。
（Ｃ）この増幅される磁電変換素子の出力信号に所定のオフセット電圧を付与するとともに、その際、（ａ）温度に応じて降下電圧が変化する第１の電圧降下素子とこれに直列接続される第１の抵抗とを有して第１の温度特性を有する信号を生成する第１の信号生成回路と、（ｂ）同じく温度に応じて降下電圧が変化する第２の電圧降下素子とこれに直列接続される第２の抵抗とを有して第２の温度特性を有する信号を生成する第２の信号生成回路と、（ｃ）これら生成される第１及び第２の温度特性を有する信号に基づき所定の演算を実行して所望の温度特性を有する信号を生成する演算回路とを具える温度特性補償回路を有して、前記付与する所定のオフセット電圧を該生成される所望の温度特性を有する信号により補正するオフセット回路。
をそれぞれ具えて、或いは請求項５に記載のように、
（Ａ）磁界の強さに対応した電気信号を出力する磁電変換素子に駆動信号を供給する駆動回路。
（Ｂ）この駆動信号の供給に基づき磁電変換素子から出力される電気信号を所要に増幅する増幅回路。
（Ｃ’）この増幅される磁電変換素子の出力信号に所定のオフセット電圧を付与するオフセット回路。
（Ｄ）（ａ）温度に応じて降下電圧が変化する第１の電圧降下素子とこれに直列接続される第１の抵抗とを有して第１の温度特性を有する信号を生成する第１の信号生成回路と、（ｂ）同じく温度に応じて降下電圧が変化する第２の電圧降下素子とこれに直列接続される第２の抵抗とを有して第２の温度特性を有する信号を生成する第２の信号生成回路と、（ｃ）これら生成される第１及び第２の温度特性を有する信号に基づき所定の演算を実行して所望の温度特性を有する信号を生成する演算回路とを具える温度特性補償回路を有し、前記増幅された磁電変換素子の出力信号を該生成される所望の温度特性を有する信号により補正する出力補正回路。
をそれぞれ具えて磁電変換素子の駆動装置を構成する。
【００２７】
このようにオフセット回路としてであれ、或いは出力補正回路としてであれ、磁電変換素子から出力される電気信号を処理する回路側に上記温度特性補償回路を設けることにより、例えば先の図１２に一点鎖線で付記するような「−ΔＶ」といった温度特性をその出力電圧（Ｖｏｕｔ）に持たせることができるようになる。
【００２８】
しかも、この温度特性補償回路は上述のように、より幅広い温度範囲において且つより高い補償精度、補償能力を有して各種素子や回路の温度特性を補償することのできる回路であることから、こうした出力電圧（Ｖｏｕｔ）の温度に依存した変動についてもこれをより的確に抑制することができるようになる。
【００２９】
そしてこの場合には、同信号処理回路を構成する増幅器等の温度誤差も併せて補正することができるようにもなる。この意味においては、温度特性補償回路をより後段に具える上記請求項５記載の発明の構成がより有利となる。
また、これら請求項４および５記載の発明では、上記磁電変換素子の駆動装置に適用される温度特性補償回路として、
・（ｃ１）前記演算回路は、基準電圧を帰還増幅する帰還増幅回路であり、（ａ１）前記第１の信号生成回路は、前記第１の電圧降下素子とこれに直列接続される第１の抵抗とが前記帰還増幅回路の帰還路に接続されて同帰還路を流れる電流を制御する帰還電流制御回路であり、（ｂ２）前記第２の信号生成回路は、前記第２の電圧降下素子とこれに直列接続される第２の抵抗とが前記帰還増幅回路の帰還路中に配設されて同帰還増幅回路の出力電圧を制御する出力電圧制御回路である
といった構成を採用しているため、正負の極性も含め、その演算出力する信号の温度特性を任意に変えることができる。
【００３０】
また更に、こうした磁電変換素子の駆動装置において、請求項６記載の発明によるように、
（Ａ１）前記駆動回路も、前記磁電変換素子の温度特性を補償する温度特性補償回路を具えて構成される。
といった構成によれば、磁電変換素子の温度に依存する感度特性についてもこれを該駆動回路を通じて予め補償しておくことができ、同磁電変換素子の駆動装置としての温度補償精度、温度補償能力を更に高めることができるようになる。
【００３１】
そして、請求項７記載の発明によるように、
（Ａ１１）前記駆動回路の温度特性補償回路も、（ａ）温度に応じて降下電圧が変化する第１の電圧降下素子とこれに直列接続される第１の抵抗とを有して第１の温度特性を有する信号を生成する第１の信号生成回路と、（ｂ）同じく温度に応じて降下電圧が変化する第２の電圧降下素子とこれに直列接続される第２の抵抗とを有して第２の温度特性を有する信号を生成する第２の信号生成回路と、（ｃ）これら生成される第１及び第２の温度特性を有する信号に基づき所定の演算を実行して所望の温度特性を有する信号を生成する演算回路とを具える。
といった構成によれば、上記磁電変換素子の温度に依存する感度補償も上述したより幅広い温度範囲において且つより高い補償精度、補償能力を有して各種素子や回路の温度特性を補償することのできる温度特性補償回路を通じてなされることとなり、より的確な感度補償が実現されるようになる。
【００３２】
また、これら磁電変換素子の駆動装置において、請求項８記載の発明によるように、
・前記磁電変換素子は、被検出部材の操作角度に応じて磁束方向が変化する磁界中に置かれるものであり、前記増幅回路は、この磁電変換素子から出力される前記被検出部材の角度情報を増幅出力するものである。
といった構成によれば、前述したスロットル開度センサ等の角度センサとして、温度に依存しない極めて精度の高い角度検出信号を生成出力することができるようになる。
【００３３】
そして、これら磁電変換素子の駆動装置にあっても、請求項９記載の発明によるように、
・前記温度特性補償回路における前記第１及び第２の抵抗の少なくとも一方が可変抵抗からなる。
といった構成よれば、上記請求項２記載の発明に準じて、その温度補償に関する自由度が増すこととなり、ひいては所望の温度特性を実現する上での微調整等も容易となり、また、請求項１０記載の発明によるように、
・前記可変抵抗がトリミング抵抗である。
といった構成によれば、上記請求項３記載の発明に準じて、例えば同駆動装置の主要な部分をモノシリックＩＣとして半導体チップ化する場合であっても、こうした温度特性の微調整が可能になる。
【００３５】
【発明の実施の形態】
はじめに図１を参照して、この発明にかかる温度特性補償回路の温度特性補償原理について説明する。
【００３６】
図１に例示する温度特性補償回路において、抵抗Ｒ１及び抵抗Ｒ２の直列回路からなる分圧回路１は、電源電圧Ｖｃｃを所要に分圧して基準電圧Ｖ１を生成する回路である。この生成された基準電圧Ｖ１は、演算増幅器Ａの非反転入力端子（＋端子）に与えられる。
【００３７】
この基準電圧Ｖ１が与えられる演算増幅器Ａは同温度特性補償回路において、温度特性補償電圧Ｖ２を出力する帰還増幅回路２を構成する。
帰還増幅回路２は、その出力端子と反転入力端子（−端子）とを結ぶ帰還路に対し、抵抗Ｒ３とダイオードＤ１との直列回路からなる帰還電流制御回路３が図示の如く接続されるとともに、同帰還路中には、ダイオードＤ２と抵抗Ｒ４との直列回路からなる出力電圧制御回路４を具える構成となっている。
【００３８】
さて、こうした構成を有する温度特性補償回路において、これら帰還電流制御回路３及び出力電圧制御回路４に各々配設されるダイオードＤ１及びＤ２の順方向電圧（端子間電圧）をそれぞれＶＦ１及びＶＦ２、また電源電圧をＶｃｃとすると、これら帰還電流制御回路３及び出力電圧制御回路４を流れる電流Ｉ１及びＩ２は、それぞれ
Ｉ１ ＝ （Ｖｃｃ−Ｖ１−ＶＦ１）／Ｒ３          …（５）
Ｉ２ ＝ Ｉ１＋ＩＡ                              …（６）
となる。
【００３９】
ここで、該（６）式におけるＩＡは、帰還増幅回路２（演算増幅器Ａ）のオフセット電流であり、通常同電流は、数十ｎ（ナノ）〜数百ｎアンペア程度の電流となる。したがって、上記電流Ｉ１を１０μアンペア以上に設定することができれば、電流Ｉ２の値は、実質的に
Ｉ２ ＝ Ｉ１                                    …（６）’
と考えることができるようになる。すなわち、以下に説明する温度特性補償精度が、このオフセット電流ＩＡのばらつき等に起因して悪化するようなことはなくなる。
【００４０】
他方、同温度特性補償回路の上記構成によれば、帰還増幅回路２の出力である上記温度特性補償電圧Ｖ２は、
0003684691.tif 000004
となる。
【００４１】
ここで、分圧回路１の出力である基準電圧Ｖ１は、
Ｖ１ ＝ （Ｒ２／（Ｒ１＋Ｒ２））Ｖｃｃ          …（８）
であり、また、ダイオードＤ１及びＤ２の順方向電圧ＶＦ１及びＶＦ２は、それぞれ
ＶＦ１ ＝ ＶＦ１(25)｛１−Ｋ１（Ｔ−２５）｝    …（９）
ＶＦ２ ＝ ＶＦ２(25)｛１−Ｋ２（Ｔ−２５）｝    …（１０）
ただし、
ＶＦ１(25)、ＶＦ２(25)：温度２５℃時の順方向電圧
Ｋ１、Ｋ２      ：温度係数
Ｔ          ：温度
として表される負の温度特性を持っている。
【００４２】
そこで、これら（８）式〜（１０）式を（７）式に代入して整理すると、
0003684691.tif 000005
となる。
【００４３】
またここで、上記ダイオードＤ１及びＤ２が同回路中に近接して設けられるとすると、上記順方向電圧ＶＦ１(25)及びＶＦ２(25)はＶＦ(25)として、また上記温度係数Ｋ１及びＫ２はＫとして、それぞれ同一の値にて表すことができるようになる。このため、上記（１１）式も、結局は
0003684691.tif 000006
として表されるようになる。
【００４４】
ところで、上記ダイオードＤ１及びＤ２の順方向電圧ＶＦ１及びＶＦ２が負の温度特性を有していることは上述した通りであるが、同温度特性補償回路によれば、上記温度特性補償電圧Ｖ２に正の温度特性を持たせることもできる。
【００４５】
すなわち、上記帰還電流制御回路３及び出力電圧制御回路４を構成するダイオードＤ１及びＤ２が負の温度特性を有しているとはいえ、上記（７）式によるように、それらダイオードによる電圧降下分（右辺の第３項及び第４項）は互いに逆極性となっていることから、上記抵抗Ｒ３及びＲ４を
Ｒ３ ＞ Ｒ４                                    …（１３）
といった関係に設定することで、上記（１２）式の項
ＶＦ(25)｛１−Ｋ（Ｔ−２５）｝
にかかる「（Ｒ４／Ｒ３−１）」の部分が負の値になり、同項の温度係数−Ｋは正の値をとるようになる。
【００４６】
このように、同図１に例示した温度特性補償回路によれば、抵抗Ｒ３及びＲ４の設定により、正負の極性も含め、演算増幅器Ａを通じて出力される信号の温度特性を任意に変えることができるようになる。
【００４７】
また、同温度特性補償回路によれば、上記ダイオードと抵抗との直列回路からなる帰還電流制御回路３及び出力電圧制御回路４を通じて相当に広い範囲で上記負の温度特性を有する信号を生成することができるため、より幅広い温度範囲において且つより高い補償精度、補償能力を有して、各種素子や回路の温度特性を補償することができるようにもなる。
【００４８】
なお、同温度特性補償回路は、この図１に例示した構成に限られるものではなく、基本的には、
（ａ）温度に応じて降下電圧が変化する第１の電圧降下素子とこれに直列接続される第１の抵抗とを有して第１の温度特性を有する信号を生成する第１の信号生成回路。
（ｂ）同じく温度に応じて降下電圧が変化する第２の電圧降下素子とこれに直列接続される第２の抵抗とを有して第２の温度特性を有する信号を生成する第２の信号生成回路。
（ｃ）これら生成される第１及び第２の温度特性を有する信号に基づき所定の演算を実行して所望の温度特性を有する信号を生成する演算回路。
を具えるものであればよい。
【００４９】
すなわち、上記演算回路として例えば上記第１の温度特性を有する信号から上記第２の温度特性を有する信号を減算する減算回路を採用する場合であっても、それら第１及び第２の温度特性を有する信号の大小関係を通じて、上述と同様、正負の極性も含めて、その演算出力される信号の温度特性を任意に変えることができるようになる。もっとも、上記第１及び第２の信号生成回路の構成、或いは上記第１及び第２の温度特性を有する信号の極性によっては、加算回路や乗算回路、更には除算回路等、他の四則演算回路によって同演算回路を構成することもできる。
【００５０】
（第１実施形態）
図２に、こうした原理に基づき構成したこの発明にかかる磁電変換素子の駆動装置についてその第１の実施形態を示す。
【００５１】
この実施形態の駆動装置は、例えば前述したスロットル開度センサ（図１０）等の角度センサにあって、ホール素子から先の（２）式に示される態様で出力されるホール電圧ＶＨを処理する際、前記付与するオフセット電圧を通じてその温度に依存する出力変動を抑制する装置として構成されている。
【００５２】
はじめに、図２を参照して、同駆動装置の構成について説明する。
図２に示されるように、この駆動装置は、ホール素子１０に駆動信号を供給する駆動回路２０と、この駆動信号の供給によってホール素子１０から出力されるホール電圧ＶＨを処理する処理回路３０とを有して構成されている。
【００５３】
ここで、駆動回路２０は、その駆動信号として例えば定電流制御された信号をホール素子１０の端子ａ−ｂ間に供給する回路である。このときホール素子１０の端子ｃ−ｄ間からは通常、先の（２）式に示される態様で不平衡電圧が含まれるホール電圧ＶＨが出力されるようになる。
【００５４】
一方、処理回路３０は、該出力されるホール電圧ＶＨを増幅するなどしてこれを所要に処理する回路であり、具体的には、同図２に併せ示される以下の回路を有する構成となっている。
【００５５】
まず、上記ホール電圧ＶＨがそれぞれ非反転入力端子に入力される演算増幅器Ａ３１及びＡ３２と抵抗Ｒ３１〜Ｒ３３とを有して構成されるバッファ回路３１は、同ホール電圧ＶＨを高入力インピーダンス受入してこれを安定化するための回路である。
【００５６】
このバッファ回路３１の出力は、抵抗Ｒ３４及びＲ３５と演算増幅器Ａ３３、並びにその帰還抵抗Ｒ３７と入力抵抗Ｒ３６とを有して構成される差動増幅回路３３に入力される。そして、この差動増幅された信号が、同角度センサのセンサ出力Ｖｏｕｔとして端子Ｔ３から出力されるようになる。なお、コンデンサＣ１及びＣ２は、端子Ｔ１及びＴ３に生じるノイズ、サージ等を除去するためのコンデンサである。
【００５７】
また同処理回路３０において、オフセット回路３２は、当該角度センサとしての所望の出力レンジを得るために、上記差動増幅されるバッファ回路３１の出力（ホール電圧ＶＨ）に対し先の図１２に示される態様でオフセット電圧Ｖｏｆｆｓｅｔを付与する回路である。
【００５８】
ただしこのとき、周囲の温度条件によっては、先の（４）式に示されるような温度に依存した電圧変動ΔＶが生じ、同図１２に破線にて示されるような大きく異なったセンサ出力（出力電圧）Ｖｏｕｔが得られるようになる。
【００５９】
そこで、同実施形態の駆動装置にあっては、このオフセット回路３２として、図３に示すオフセット回路３２ａを採用することにより、該温度に依存した電圧変動ΔＶを除去するようにしている。
【００６０】
以下、この図３を併せ参照して、同第１の実施形態の駆動装置による温度特性補償構造について詳述する。
同図３に示されるように、このオフセット回路３２ａは、先の図１に例示した温度特性補償回路３２１と、抵抗Ｒ３２１及びＲ３２２の分圧回路によって構成されるオフセット電圧生成回路３２２、そして抵抗Ｒ３２３〜Ｒ３２６及び演算増幅器Ａ３２１によって構成される加算回路３２３を有して構成されている。
【００６１】
ここで、加算回路３２３は、上記オフセット電圧生成回路３２２を通じて生成されるオフセット電圧Ｖ３に上記温度特性補償回路３２１を通じて生成される温度特性補償電圧Ｖ２を加算する回路である。
【００６２】
したがってこの場合、
（１）オフセット電圧生成回路３２２では、そのオフセット電圧Ｖ３として、該角度センサとしての所望の出力レンジを得るための先の図１２に示されるようなオフセット電圧Ｖｏｆｆｓｅｔを生成する。
（２）一方の温度特性補償回路３２１では、その温度特性補償電圧Ｖ２として、同図１２に一点鎖線にて付記するような負の温度特性を有する電圧「−ΔＶ」を生成する。
といった条件にてそれぞれ上記オフセット電圧Ｖ３並びに上記温度特性補償電圧Ｖ２を生成することで、同オフセット回路３２ａからは、そのオフセット電圧Ｖｏｆｆｓｅｔ（＝Ｖ３＋Ｖ２）として、上記温度に依存した電圧変動ΔＶを相殺しうる電圧が生成出力されるようになる。
【００６３】
そしてこのため、同オフセット電圧Ｖｏｆｆｓｅｔを基準電圧としてバッファ回路３１の出力（ホール電圧ＶＨ）を差動増幅する上記差動増幅回路３３からも、その出力Ｖｏｕｔとして、温度に依存しない高精度の角度情報が出力されるようになる。
【００６４】
なお上記温度特性補償回路３２１が、その抵抗Ｒ３及びＲ４の設定を通じて、正負の極性も含め、その温度特性補償電圧Ｖ２に任意の温度特性を持たせることのできる回路であることは、先の原理の説明において既述した通りである。
【００６５】
以上説明したように、同第１の実施形態にかかる磁電変換素子の駆動装置によれば、
（イ）先の（４）式に現れるような温度に依存した電圧変動ΔＶを的確に抑制して、より精度の高い角度情報を出力することができる。
（ロ）バッファ回路３１の後段のオフセット回路３２において温度特性の補償に基づく上記電圧補正を行うものであることから、同バッファ回路３１を構成する演算増幅器Ａ３１及びＡ３２の温度誤差も併せて除去することができる。
等々、優れた効果が奏せられるようになる。
【００６６】
（第２実施形態）
図４に、同原理に基づき構成したこの発明にかかる磁電変換素子の駆動装置の第２の実施形態を示す。
【００６７】
この第２の実施形態の駆動装置も、例えばスロットル開度センサ（図１０）等の角度センサにあって、ホール素子から先の（２）式に示される態様で出力されるホール電圧ＶＨを処理する際、前記付与するオフセット電圧を通じてその温度に依存する出力変動を抑制する装置として構成されている。
【００６８】
また、同実施形態の駆動装置にあっても、その駆動装置としての基本構成は図２に例示した第１の実施形態の駆動装置と同様であり、そのオフセット回路３２として、同図４に示されるオフセット回路３２ｂを採用していることのみが先の第１の実施形態にかかる駆動装置と相違する。
【００６９】
以下、この図４を参照して、同第２の実施形態の駆動装置による温度特性補償構造について詳述する。
同図４に示されるように、このオフセット回路３２ｂは、先の図１に例示した温度特性補償回路３２１と、抵抗Ｒ３２１及びＲ３２２の分圧回路によって構成されるオフセット電圧生成回路３２２、そして抵抗Ｒ３２７、Ｒ３２８及び演算増幅器Ａ３２２によって構成される減算回路３２４を有して構成されている。
【００７０】
ここで、減算回路３２４は、上記オフセット電圧生成回路３２２を通じて生成されるオフセット電圧Ｖ３から上記温度特性補償回路３２１を通じて生成される温度特性補償電圧Ｖ２を減算する回路である。
【００７１】
したがってこの場合には、
（１）オフセット電圧生成回路３２２では、そのオフセット電圧Ｖ３として、該角度センサとしての所望の出力レンジを得るための先の図１２に示されるようなオフセット電圧Ｖｏｆｆｓｅｔを生成する。
（２）一方の温度特性補償回路３２１では、その温度特性補償電圧Ｖ２として、同図１２に破線にて付記するような正の温度特性を有する電圧「ΔＶ」を生成する。
といった条件にてそれぞれ上記オフセット電圧Ｖ３並びに上記温度特性補償電圧Ｖ２を生成することで、同オフセット回路３２ｂからは、そのオフセット電圧Ｖｏｆｆｓｅｔ（＝Ｖ３−Ｖ２）として、前記温度に依存した電圧変動ΔＶを相殺しうる電圧が生成出力されるようになる。
【００７２】
そしてこのため、同オフセット電圧Ｖｏｆｆｓｅｔを基準電圧としてバッファ回路３１の出力（ホール電圧ＶＨ）を差動増幅する前記差動増幅回路３３（図２）からも、その出力Ｖｏｕｔとして、温度に依存しない高精度の角度情報が出力されるようになる。
【００７３】
このように、同第２の実施形態にかかる磁電変換素子の駆動装置によっても、先の第１の実施形態にかかる駆動装置と同様、
（イ）先の（４）式に現れるような温度に依存した電圧変動ΔＶを的確に抑制して、より精度の高い角度情報を出力することができる。
（ロ）バッファ回路３１の後段のオフセット回路３２において温度特性の補償に基づく上記電圧補正を行うものであることから、同バッファ回路３１を構成する演算増幅器Ａ３１及びＡ３２の温度誤差も併せて除去することができる。
等々の優れた効果が奏せられるようになる。
【００７４】
（第３実施形態）
図５に、これも上述の原理に基づき構成したこの発明にかかる磁電変換素子の駆動装置の第３の実施形態を示す。
【００７５】
この第３の実施形態の駆動装置も、上記第１及び第２の実施形態の駆動装置と同様、例えばスロットル開度センサ（図１０）等の角度センサにあって、ホール素子から先の（２）式に示される態様で出力されるホール電圧ＶＨを処理する際、前記付与するオフセット電圧を通じてその温度に依存する出力変動を抑制する装置として構成されている。
【００７６】
また、同実施形態の駆動装置にあっても、その駆動装置としての基本構成は図２に例示した第１の実施形態の駆動装置と同様であり、そのオフセット回路３２として、同図５に示されるオフセット回路３２ｃを採用していることのみが先の第１或いは第２の実施形態にかかる駆動装置と相違する。
【００７７】
以下、この図５を参照して、同第３の実施形態の駆動装置による温度特性補償構造について詳述する。
同図５に示されるように、このオフセット回路３２ｃにあって、温度特性補償回路３２１’は、ダイオードＤ３及び抵抗Ｒ５の直列回路と抵抗６との分圧回路からなって負の第１の温度特性を有する電圧Ｖ４を生成する第１の信号生成回路、同じくダイオードＤ４及び抵抗Ｒ７の直列回路と抵抗８との分圧回路からなって負の第２の温度特性を有する電圧Ｖ５を生成する第２の信号生成回路、そして抵抗Ｒ９〜Ｒ１１と共にこれら電圧Ｖ４から電圧Ｖ５を減算する減算回路を構成する演算増幅器Ａ３２４とによって構成されている。
【００７８】
先の原理の説明でも触れたように、こうした構成にあっても、上記第１の温度特性を有する電圧Ｖ４から上記第２の温度特性を有する電圧Ｖ５を減算することで、それら電圧Ｖ４及びＶ５の大小関係を通じて、先の図１に例示した温度特性補償回路（温度特性補償回路３２１）と同様、正負の極性も含めて、その演算出力される電圧（Ｖ４−Ｖ５）の温度特性を任意に変えることはできる。
【００７９】
一方、同オフセット回路３２ｃにあって、抵抗Ｒ３２１及びＲ３２２の分圧回路によって構成されるオフセット電圧生成回路３２２は、これまでの実施形態と同様、オフセット電圧Ｖ３を生成する回路であり、電流の逆流阻止用のバッファ回路を構成する演算増幅器Ａ３２３も含めて上記演算増幅器Ａ３２４は、加減算回路３２５をも併せて構成する。
【００８０】
すなわち、同オフセット回路３２ｃにあっては、そのオフセット電圧Ｖｏｆｆｓｅｔとして、「Ｖ３＋Ｖ４−Ｖ５」といった電圧が上記加減算回路３２５を通じて生成出力されるようになる。
【００８１】
したがってこの場合、
（１）オフセット電圧生成回路３２２では、そのオフセット電圧Ｖ３として、該角度センサとしての所望の出力レンジを得るための先の図１２に示されるようなオフセット電圧Ｖｏｆｆｓｅｔを生成する。
（２）一方の温度特性補償回路３２１’では、その温度特性補償電圧「Ｖ４−Ｖ５」として、同図１２に一点鎖線にて付記するような負の温度特性を有する電圧「−ΔＶ」を生成する。
といった条件にてそれぞれ上記オフセット電圧Ｖ３並びに上記温度特性補償電圧「Ｖ４−Ｖ５」を生成することで、同オフセット回路３２ｃからは、そのオフセット電圧Ｖｏｆｆｓｅｔ（＝Ｖ３＋Ｖ４−Ｖ５）として、この場合も前記温度に依存した電圧変動ΔＶを相殺しうる電圧が生成出力されるようになる。
【００８２】
そしてこのため、同オフセット電圧Ｖｏｆｆｓｅｔを基準電圧としてバッファ回路３１の出力（ホール電圧ＶＨ）を差動増幅する前記差動増幅回路３３（図２）からも、その出力Ｖｏｕｔとして、温度に依存しない高精度の角度情報が出力されるようになる。
【００８３】
なお、上記温度特性補償回路３２１’にあって、上記第１及び第２の信号生成回路の構成、或いは上記第１及び第２の温度特性を有する電圧Ｖ４、Ｖ５の極性によっては、上記減算回路に代え、加算回路や乗算回路、更には除算回路等の演算回路も適宜採用することができることは前述した。
【００８４】
このように、同第３の実施形態にかかる磁電変換素子の駆動装置によっても、先の第１或いは第２の実施形態にかかる駆動装置と同様、
（イ）先の（４）式に現れるような温度に依存した電圧変動ΔＶを的確に抑制して、より精度の高い角度情報を出力することができる。
（ロ）バッファ回路３１の後段のオフセット回路３２において温度特性の補償に基づく上記電圧補正を行うものであることから、同バッファ回路３１を構成する演算増幅器Ａ３１及びＡ３２の温度誤差も併せて除去することができる。
等々の優れた効果が奏せられるようになる。
【００８５】
なお、この第３の実施形態にあって、上記オフセット回路３２ｃにおける電流逆流阻止用バッファ回路（演算増幅器Ａ３２３）は、先の第１の実施形態のオフセット回路３２ａに用いられている抵抗Ｒ３２４に代えることもできる。また逆に、先の第１の実施形態のオフセット回路３２ａに用いられている抵抗Ｒ３２４をこのバッファ回路（演算増幅器Ａ３２３）に代えることもできる。回路規模の縮小を図る意味では抵抗が有利であるが、電流の逆流阻止機能を確実ならしめる意味ではこのバッファ回路が有利となる。
【００８６】
（第４実施形態）
図６に、同じく上述の原理に基づき構成したこの発明にかかる磁電変換素子の駆動装置の第４の実施形態を示す。
【００８７】
この実施形態の駆動装置は、例えばスロットル開度センサ（図１０）等の角度センサにあって、ホール素子から先の（２）式に示される態様で出力されるホール電圧ＶＨを処理する際、前記オフセット電圧ではなく、差動増幅出力を通じてその温度に依存する出力変動を抑制する装置として構成されている。
【００８８】
図２に示した第１の実施形態にかかる駆動装置の構成と一部重複するも、はじめに、図６を参照して、同第４の実施形態にかかる駆動装置の構成について説明する。
【００８９】
図６に示されるように、この駆動装置は、ホール素子１０に駆動信号を供給する駆動回路２０と、この駆動信号の供給によってホール素子１０から出力されるホール電圧ＶＨを処理する処理回路３０、そしてその処理された出力電圧を更に補正する出力補正回路４０を有して構成されている。
【００９０】
ここで、駆動回路２０は、その駆動信号として例えば定電流制御された信号をホール素子１０の端子ａ−ｂ間に供給する回路であり、このときホール素子１０の端子ｃ−ｄ間からは通常、先の（２）式に示される態様で不平衡電圧が含まれるホール電圧ＶＨが出力されるようになることは前述した通りである。
【００９１】
一方、処理回路３０は、該出力されるホール電圧ＶＨを増幅するなどしてこれを所要に処理する回路であり、具体的には、同図６に併せ示される以下の回路を有する構成となっている。
【００９２】
まず、上記ホール電圧ＶＨがそれぞれ非反転入力端子に入力される演算増幅器Ａ３１及びＡ３２と抵抗Ｒ３１〜Ｒ３３とを有して構成されるバッファ回路３１は、同ホール電圧ＶＨを高入力インピーダンス受入してこれを安定化するための回路である。
【００９３】
このバッファ回路３１の出力は、抵抗Ｒ３４及びＲ３５と演算増幅器Ａ３３、並びにその帰還抵抗Ｒ３７と入力抵抗Ｒ３６とを有して構成される差動増幅回路３３に入力される。そして、この差動増幅された信号が、同角度センサのセンサ出力Ｖｏｕｔとして端子Ｔ３から一旦出力され、後に詳述する出力補正回路４０に入力されるようになる。なおここでも、コンデンサＣ１及びＣ２は、端子Ｔ１及びＴ３に生じるノイズ、サージ等を除去するためのコンデンサである。
【００９４】
また同処理回路３０において、オフセット回路３２は、当該角度センサとしての所望の出力レンジを得るために、上記差動増幅されるバッファ回路３１の出力（ホール電圧ＶＨ）に対し先の図１２に示される態様でオフセット電圧Ｖｏｆｆｓｅｔを付与する回路である。ここでは、抵抗Ｒ３２１及びＲ３２２の分圧回路からなるオフセット電圧生成部と、電流の逆流阻止用のバッファ回路を構成する演算増幅器Ａ３４とを具える構成となっている。
【００９５】
ところで前述のように、上記ホール電圧ＶＨに先の（２）式に示される態様で不平衡電圧が含まれる場合、上記差動増幅されたセンサ出力Ｖｏｕｔには、先の（４）式に示されるような温度に依存した電圧変動ΔＶが生じ、ひいては同出力Ｖｏｕｔとして、先の図１２に破線にて示されるような大きく異なった値が得られるようになる。
【００９６】
そこで、同実施形態の駆動装置にあっては、上記出力補正回路４０として図７に例示する回路を採用することにより、該温度に依存した電圧変動ΔＶを除去するようにしている。
【００９７】
以下、この図７を併せ参照して、同第４の実施形態の駆動装置による温度特性補償構造について詳述する。
同図７に示されるように、この出力補正回路４０は、先の図１に例示した温度特性補償回路４１と、電流の逆流阻止用のバッファ回路を構成する演算増幅器Ａ４１、そして抵抗Ｒ４１〜Ｒ４４及び演算増幅器Ａ４２によって構成される加算回路４２を有して構成されている。
【００９８】
ここで、加算回路４２は、上記処理回路３０による出力電圧Ｖｏｕｔに上記温度特性補償回路４１を通じて生成される温度特性補償電圧Ｖ２を加算する回路である。
【００９９】
したがってこの場合、
・温度特性補償回路４１では、その温度特性補償電圧Ｖ２として、図１２に一点鎖線にて付記するような負の温度特性を有する電圧「−ΔＶ」を生成する。
といった条件にて上記温度特性補償電圧Ｖ２を生成することで、同出力補正回路４０からは、その出力補正電圧Ｖｏｕｔ’（＝Ｖｏｕｔ＋Ｖ２）として、上記温度に依存した電圧変動ΔＶの相殺された電圧が生成出力されるようになる。
【０１００】
すなわちこの場合も、出力補正回路４０からは、その出力補正電圧Ｖｏｕｔ’として温度に依存しない高精度の角度情報が出力されるようになる。
なお上記温度特性補償回路４１も、その抵抗Ｒ３及びＲ４の設定を通じて、正負の極性も含め、その温度特性補償電圧Ｖ２に任意の温度特性を持たせることのできる回路であることは、先の原理の説明において既述した通りである。
【０１０１】
以上説明したように、同第４の実施形態にかかる磁電変換素子の駆動装置によっても、
（イ）先の（４）式に現れるような温度に依存した電圧変動ΔＶを的確に抑制して、より精度の高い角度情報を出力することができる。
（ロ’）処理回路３０の後段の出力補正回路４０において温度特性の補償に基づく上記電圧補正を行うものであることから、バッファ回路３１を構成する演算増幅器Ａ３１及びＡ３２や差動増幅回路３３を構成する演算増幅器Ａ３３の温度誤差も併せて除去することができる。
等々、優れた効果が奏せられるようになる。
【０１０２】
なお、同第４の実施形態において、出力補正回路４０に採用する温度特性補償回路や演算回路は上記温度特性補償回路４１や加算回路４２に限られることなく任意であり、他に例えば先の第２の実施形態に準じた減算回路、或いは先の第３の実施形態に準じた温度特性補償回路並びに加減算回路なども適宜採用することができる。
【０１０３】
（第５実施形態）
ところで、先の図１０に例示したスロットル開度センサ等の角度センサにあっては、そのホール素子１０及び磁石１２が通常、負の温度特性を持つことから、周囲の温度に応じてその駆動条件が変化し、上記出力されるホール電圧ＶＨにもそれら温度特性に応じた変動が来たすようになる。
【０１０４】
因みにこうした変動は、先の（２）式における右辺第１項、すなわち（１）式として示した電圧成分に対して生じるものであり、同変動は通常、先の図１１における角度θ＝０を中心としたホール電圧出力特性の傾きの変化、すなわち感度変化として現れる。そして勿論、ホール電圧ＶＨにこのような感度変化が来たす場合、その処理信号である信号Ｖｏｕｔの信頼性も自ずと低いものとなる。
【０１０５】
そこで、この発明にかかる磁電変換素子の駆動装置の第５の実施形態として、ホール素子のこうした感度変化をも併せて抑制することのできる駆動装置を図８に示す。
【０１０６】
はじめに、同第５の実施形態の駆動装置について、図８に基づき、その構成を説明する。
同図８に示されるように、この駆動装置は、ホール素子１０の駆動回路２０として、先の図１に例示した温度特性補償回路２１と、その温度特性補償電圧Ｖ２が非反転入力端子に加えられる演算増幅器Ａ２１及びホール素子１０に直列に接続される抵抗Ｒ２１を有して同ホール素子１０に供給する駆動信号を定電流制御する定電流制御回路２２とを具える構成となっている。
【０１０７】
定電流制御回路２２では、抵抗Ｒ２１の電圧降下と上記温度特性補償電圧Ｖ２との比較のもとに、同抵抗Ｒ２１の電圧降下が一定となるよう、ホール素子１０に印加される電圧を制御する。この結果ホール素子１０には、その駆動電流Ｉとして、
Ｉ ＝ （Ｖ２／Ｒ２１）                          …（１４）
なる一定の電流が供給されるようになる。
【０１０８】
一方、同駆動装置において、ホール素子１０から出力されるホール電圧ＶＨを増幅するなどしてこれを所要に処理する処理回路３０は、先の第１〜第４の実施形態として例示した何れかの回路として構成されている。
【０１０９】
したがって、先の（２）式、或いは（４）式に現れるホール素子１０の不平衡電圧に起因する電圧変動分は、該処理回路３０（或いは処理回路３０＋出力補正回路４０）を通じて好適に相殺されるようになる。
【０１１０】
図９は、上記駆動回路２０によるホール電圧ＶＨの感度補償態様を示したものであり、次に、同図９を併せ参照して、この第５の実施形態の駆動装置としてのホール電圧ＶＨの感度補償構造について更に詳述する。
【０１１１】
ホール素子１０及び磁石１２（図１０参照）が負の温度特性を有していることは上述した。すなわち、先の（１）式に示されるホール素子１０の感度ＫＨ及び内部抵抗Ｒｄ、更には磁石１２の磁束密度Ｂは、温度が高くなるにつれて低い値を示すようになる。
【０１１２】
また、ホール素子１０の出力であるホール電圧ＶＨは、同（１）式に示されるように、上記駆動電流Ｉに比例する。
したがって、ホール素子１０及び磁石１２の上記負の温度特性を補償するためには、上記駆動電流Ｉすなわち上記温度特性補償電圧Ｖ２に、これとは逆の正の温度特性を持たせればよいことになる。
【０１１３】
そして、上記温度特性補償回路２１にあっては、その抵抗Ｒ３及びＲ４を先の（１３）式に示される如く、
Ｒ３ ＞ Ｒ４
といった関係に設定することで、該温度特性補償電圧Ｖ２に正の温度特性を持たせることができるようになることも、先の原理の説明において既述した。
【０１１４】
さて、図９に示されるように、ホール素子１０の感度ＫＨ及び内部抵抗Ｒｄが特性線Ｌ１のような負の温度特性を示し、磁石１２の磁束密度Ｂが特性線Ｌ２のような同じく負の温度特性を示すとすると、ホール素子１０と磁石１２とでは、それらが合成された特性として、特性線Ｌ３のような温度特性（感度）を示すようになる。
【０１１５】
ホール素子１０と磁石１２とのこうした負の温度特性に対し、温度特性補償回路２１では、抵抗Ｒ３及びＲ４を先の（１３）式の関係に設定するとともに、同抵抗Ｒ３及びＲ４の比の大きさを通じて、更には先の（１２）式に含まれる
（Ｒ２／（Ｒ１＋Ｒ２））
といった関係を通じて、同図９に特性線Ｌ４として示されるような正の温度特性を、上記温度特性補償電圧Ｖ２（駆動電流Ｉ）に持たせるようにする。
【０１１６】
その結果、ホール素子１０から出力されるホール電圧ＶＨは、その温度特性が同図９に特性線Ｌ５として示される態様で補正されるようになり、周囲温度の如何なる変化に対しても、常に適正な値（感度）を示すようになる。
【０１１７】
このように、同第５の実施形態にかかる磁電変換素子の駆動装置によれば、上記第１〜第４の実施形態の駆動装置による前記（イ）、（ロ）、或いは（ロ’）として示した効果に更に加えて、
（ハ）ホール素子や磁石の温度特性（感度特性）も好適に補償される。
（ニ）しかも、その感度の補償量（図９の特性線Ｌ４の傾き）を、温度特性補償回路２１における抵抗比「Ｒ４／Ｒ３」に応じて、或いは分圧比「Ｒ２／（Ｒ１＋Ｒ２）」に応じて任意に設定することができため、ホール素子や磁石の温度特性に如何なるばらつきがあったとしても、それらばらつきに容易に対処することができる。
等々の効果も併せ奏せられるようになる。
【０１１８】
なお、同第５の実施形態にあっては、上記温度特性補償回路２１を通じてホール素子や磁石の温度特性（感度特性）を補償することとしたが、こうした温度特性補償回路としては他に、先の第３の実施形態のオフセット回路３２ｃに用いられている温度特性補償回路３２１’に準じた構成のものなども適宜採用することができる。
【０１１９】
ところで、これら第１〜第５の実施形態の駆動装置としての上記構成によれば、駆動回路２０及び処理回路３０を含めてこれを１個のモノシリックＩＣとして実現することも容易である。
【０１２０】
そして、同駆動装置をこうしたモノシリックＩＣとして構成する場合には、上記各温度特性補償回路を構成する抵抗Ｒ１〜Ｒ４（図３、図４、図７、図８）、或いは抵抗Ｒ５〜Ｒ８（図５）についてこれらを可変抵抗、より望ましくはトリミング抵抗として構成することによって、それら抵抗値の微調整が可能となり、ひいては上記所望の温度特性を実現する上での微調整等も容易となる。
【０１２１】
また、上記各実施形態の駆動装置をこうしてＩＣ化することにより、例えばダイオードＤ１及びＤ２なども同ＩＣ中に自ずと近接して設けられることとなり、前記（１２）式への変換、すなわち
・順方向電圧ＶＦ１(25)及びＶＦ２(25)をＶＦ(25)とする。
・温度係数Ｋ１及びＫ２をＫとする。
として同一化したことが意味を持つようになる。
【０１２２】
また、ダイオードＤ１及びＤ２、或いはダイオードＤ３及びＤ４は、単に同一特性というだけではなく、半導体装置としての製造プロセスを通じて物性的にも高精度に管理されるため、製品間のばらつきも極めて少ないものとなる。すなわち、駆動対象となるホール素子や磁石自体が負の一定の温度特性を有するものであれば、製品によらずに、極めて高い精度で上述した温度特性補償機能が維持されるようにもなる。
【０１２３】
なお、上記各実施形態においては、ダイオードＤ１及びＤ２、或いはダイオードＤ３及びＤ４の順方向電圧を利用して温度特性の補償を行うこととしたが、これら温度特性を補償するために使用することのできる素子はダイオードには限られない。
【０１２４】
すなわち、温度に応じて降下電圧が変化する電圧降下素子であればよく、上記ダイオードに代えて適宜のトランジスタを用いることもできる。
例えばＮＰＮ接合されるトランジスタにあっては、そのベース−エミッタ間の電圧（ＶBE）が、それらダイオードの順方向電圧ＶＦと同様、温度に応じて降下電圧が変化する。このため、同トランジスタのベース−エミッタ間電圧を利用して上記温度特性の補償を行う構成とすることもできる。
【０１２５】
また、上記各実施形態では便宜上、スロットル開度センサ等の角度センサに対してこの発明にかかる駆動装置を適用する場合について示したが、同駆動装置が、ホール素子や磁気抵抗効果素子等の磁電変換素子を駆動して且つその得られる電気信号を所要に処理する装置の全てに適用できるものであることは云うまでもない。
【図面の簡単な説明】
【図１】この発明の温度特性補償回路の原理構成を示す回路図。
【図２】ホール素子の駆動装置の第１の実施形態を示すブロック図。
【図３】同実施形態のオフセット回路の構成を示す回路図。
【図４】ホール素子の駆動装置の第２の実施形態を示す回路図。
【図５】ホール素子の駆動装置の第３の実施形態を示す回路図。
【図６】ホール素子の駆動装置の第４の実施形態を示すブロック図。
【図７】同実施形態の出力補正回路の構成を示す回路図。
【図８】ホール素子の駆動装置の第５の実施形態を示す回路図。
【図９】同実施形態の回路による感度補償態様を示すグラフ。
【図１０】ホール素子によるスロットル開度の検出原理を示す略図。
【図１１】同検出原理におけるホール素子の出力特性を示すグラフ。
【図１２】同じくホール電圧処理回路の出力特性を示すグラフ。
【符号の説明】
１…分圧回路、２…帰還増幅回路、３…帰還電流制御回路、４…出力電圧制御回路、１０…ホール素子、１１…ロータ、１２…磁石（永久磁石）、２０…駆動回路、２１…温度特性補償回路、２２…定電流制御回路、３０…信号処理回路、３１…バッファ回路、３２、３２ａ、３２ｂ、３２ｃ…オフセット回路、３２１、３２１’…温度特性補償回路、３２２…オフセット電圧生成回路（分圧回路）、３２３…加算回路、３２４…減算回路、３２５…加減算回路、３３…差動増幅回路、４０…出力補正回路、４１…温度特性補償回路、４２…加算回路、Ｔ１〜Ｔ４…端子、Ａ、Ａ２１、Ａ３１〜Ａ３４、Ａ３２１〜Ａ３２４、Ａ４１〜Ａ４２…演算増幅器、Ｃ１、Ｃ２…コンデンサ、Ｄ１、Ｄ２、Ｄ３、Ｄ４…ダイオード、Ｒ１〜Ｒ１１、Ｒ２１、Ｒ３１〜Ｒ３７、Ｒ３２１〜Ｒ３２８、Ｒ４１〜Ｒ４４…抵抗。
【図１】
0003684691.tif 000007
【図２】
0003684691.tif 000008
【図３】
0003684691.tif 000009
【図４】
0003684691.tif 000010
【図５】
0003684691.tif 000011
【図６】
0003684691.tif 000012
【図７】
0003684691.tif 000013
【図８】
0003684691.tif 000014
【図９】
0003684691.tif 000015
【図１０】
0003684691.tif 000016
【図１１】
0003684691.tif 000017
【図１２】
0003684691.tif 000018